(57)【要約】【課題】      揺動を防止して素早く所望の棚に沈下でき、釣り用仕掛けの絡みを防止する釣り用重りを提供することである。【解決手段】  釣り用重り１は、前後方向に長い砲弾形の重り本体２と、重り本体２の後端２ａに支持軸３で回転可能に取り付けられた翼部材４とを備え、重り本体２は、鉄、ステンレス、鉛、タングステン等の金属、或は、金属を混入するなどの手段で重く形成した合成樹脂等によって形成されている。  翼部材４は、支持軸３が挿通される挿通孔４ａを有する中心の筒状部４ｂと、この筒状部４ｂから径方向外側に延びる複数枚の翼４ｃを備え、合成樹脂や金属等、重り本体２よりも比重が小さい材料で形成され、各翼４ｃは板状に形成されると共に、軸方向に対して傾斜して形成されて傾斜する抵抗面４ｄを有する。【選択図】        図１
2010104317.tif 000002
【特許請求の範囲】
【請求項１】
重り本体の後端に、前記重り本体の長手方向軸を中心に回転可能な翼部材を支持していると共に、前記翼部材は重り本体の長手方向軸に傾斜する抵抗面を有していることを特徴とする釣り用重り。
【発明の詳細な説明】
【技術分野】
【０００１】
本発明は、主に船釣りをする際に用いる釣り用重りに関する。
【背景技術】
【０００２】
従来から、船釣り等において、仕掛けを素早く沈めて釣りの効率を高めて魚をたくさん釣りたいという要望があり、重りには様々な工夫が施されていた。
【０００３】
例えば、特許文献１には、専ら投げ釣りに用いられる重りが開示されている。
この重りは、長さを長くして内部に空気室を設けると共に、後端に十字状の翼を設けており、仕掛けを巻き取る際に、素早く浮上させて引き寄せることを可能とし、海底の岩などに引っ掛かり難くするような工夫が施されている。
【特許文献１】実開昭５５−５１３９号公報
【発明の開示】
【発明が解決しようとする課題】
【０００４】
上記した重りは、海中に投入した仕掛けを巻き上げる際に、直ちに浮上させることを目的としており、空気室、及び仕掛けの後端に設けられた十字状の翼は、仕掛け巻き取り時に、重りを効率良く浮上させる機能を有している。
従って、このような構造の重りは、仕掛けを素早く目的の棚に投入する船釣りには適していない。
【０００５】
また、十字状の翼は、水流を受けて重りを浮上させるように固定されていることから、固定状態の翼では、仕掛けを海中に投入する際、沈下の姿勢が安定しないため、仕掛けの沈下速度が遅くなってしまう。
特に、沈下する重りが姿勢を崩して傾くと、上記したように翼が水の抵抗を強く受けてその傾きを戻し、この傾きを直す勢いで今度は反対側に傾くため、この作用の繰り返しによって重りが首を振るように揺動しながら沈み、結果として、沈下が遅くなり、釣り用仕掛けも絡み易くなってしまう。
【０００６】
本発明は、上記した問題に着目してなされたものであり、揺動を防止して素早く所望の棚に沈下でき、釣り用仕掛けの絡みを防止する釣り用重りを提供することを目的とする。
【課題を解決するための手段】
【０００７】
上記した目的を達成するために、本発明に係わる釣り用重りは、重り本体の後端に、前記重り本体の長手方向軸を中心に回転可能な翼部材を支持していると共に、前記翼部材は重り本体の長手方向軸に傾斜する抵抗面を有していることを特徴とする。
【０００８】
上記した構成の釣り用重りは、船釣り等において、仕掛けを投入して沈下される際、翼部材に水の抵抗を受けるものの翼部材が回転することから、水の抵抗を逃がしながら重り本体の傾きが修正される。
翼部材は、水の抵抗を逃がす役目を果たすことから、重りの姿勢が安定するようになり、これにより、沈下中の姿勢が安定し、素早く仕掛けを所望の棚に送り込むことができる。
さらに翼部材が長手方向軸に傾斜する抵抗面を有していると、確実に翼部材が回転し抵抗となるが、軸方向にぶれないので沈下する方向性がぶれず垂直に沈下する。
また、沈下中の重りの姿勢が安定するため、釣り用仕掛けが絡むことを防止することが可能となる。
【発明の効果】
【０００９】
本発明によれば、沈下中の揺動を防止して素早く所望の棚に沈下でき、釣り用仕掛けの絡みを防止することが可能な釣り用重りが得られる。
翼部材が長手方向軸に傾斜する抵抗面を有していると、翼部材が確実に回転し、沈下中の釣り用重りが軸方向にぶれないので垂直に沈下することになる。
【発明を実施するための最良の形態】
【００１０】
釣り用重り１は、前後方向に長い砲弾形の重り本体２と、重り本体２の後端２ａに支持軸３で回転可能に取り付けられた翼部材４とを備えている。
重り本体２は、鉄、ステンレス、鉛、タングステン等の金属、或は、金属を混入するなどの手段で重く形成した合成樹脂等によって形成されている。
翼部材４は、支持軸３が挿通される挿通孔４ａを有する中心の筒状部４ｂと、この筒状部４ｂから径方向外側に延びる複数枚の翼４ｃを備えている。
複数枚の翼４ｃを有する翼部材４は、合成樹脂や金属等、重り本体２よりも比重が小さい材料で形成されており、支持軸３を中心に沈下時の水を受けて容易に回転するようになっている。
翼４ｃは筒状部４ｂの外周に図では４枚設けられており、各翼４ｃは板状に形成されると共に、筒状部４ｂの先端から後端に掛けて軸方向に対して傾斜して形成されて傾斜する抵抗面４ｄを有し、翼４ｃの外側は重り本体２の最大外径部より外方側に突出している。
【実施例１】
【００１１】
以下、図示の一実施例によって本発明を説明すると、図１は釣り用重りの側面図、図２は釣り用重りの断面側面図、図３は図１のＦ３−Ｆ３断面線の断面図、図４は釣り用重りを仕掛けに装着した側面図である。
【００１２】
釣り用重り１は、前後方向（長手方向軸Ｘ方向）に長い砲弾形の重り本体２と、重り本体２の後端２ａにこの後端２ａから長手方向軸Ｘ上で、これに沿って後方に向けて突出する支持軸３で回転可能に取り付けられた翼部材４とを備えている。
重り本体２は、鉄、ステンレス、鉛、タングステン等の金属、或は、金属を混入するなどの手段で重く形成した合成樹脂等によって形成されており、好ましくは図２に示すように、中実に形成して比重を重くし、素早く水に沈むようにしている。
【００１３】
重り本体２は、前後の長手方向軸Ｘに垂直方向にして沈下（落下）するように、長手方向軸Ｘを中心に均等形に形成されている。
この場合、前端２ｂ側の方を後端２ａ側よりも膨出させて、重心Ｇが前端２ｂ側に寄った位置となるように形成されており、仕掛け投入時において、前端２ｂ側が垂直下方に向き易いように構成されている。
重り本体２の後端面２ｃには、長手方向に支持軸３が、螺子３ａによって着脱可能に取り付けられているが螺子３ａを緩めなければ移動しないように固定されている。
支持軸３は、重り本体２から軸方向に突出しており、その先端には、大径の頭部３ｂが形成されている。
そして、大径の頭部３ｂには、釣り用仕掛け５を取り付けるように、止着孔３ｃが設けられている。
釣り用仕掛け５は幹糸１０に釣り針１１が複数本取り付けられている。
【００１４】
重り本体２の後端面２ｃに設けられた支持軸３には、支持軸３を中心に周方向に回転する翼部材４が、支持軸３の先端の頭部３ｂによって抜け止め支持されている。
したがって、翼部材４は長手方向軸Ｘを中心に回転するようになっている。
前記翼部材４は、支持軸３が挿通される挿通孔４ａを有する中心の筒状部４ｂと、この筒状部４ｂから径方向外側に延びる複数枚の翼４ｃを備えている。
複数枚の翼４ｃを有する翼部材４は、合成樹脂や金属等、重り本体２よりも比重が小さい材料で形成されており、支持軸３を中心に沈下時の水を受けて容易に回転するようになっている。
翼４ｃは筒状部４ｂの外周に図では４枚設けられており、各翼４ｃは板状に形成されると共に、筒状部４ｂの先端から後端に掛けて長手方向軸Ｘに対して傾斜して形成されて長手方向軸Ｘに対して傾斜する釣り用重り１の前後方向両側に形成される傾斜面のうち沈下時に水を受ける前側の面である抵抗面４ｄを有し、翼４ｃの外側は重り本体２の最大外径部より外方側に突出している。
【００１５】
前記のように構成された釣り用重り１を使用する時は、重り本体２から突出した支持軸３の先端の止着孔３ｃに、釣り用仕掛け５の幹糸１０を取り付けて水中に沈める。
このとき、釣り用重り１は、長手方向の重心Ｇ側（前端２ｂ側）を下方にして沈下するが、沈下し始めるとすぐに翼４ｃの抵抗面４ｄが水を受けて翼部材４が支持軸３を中心に回転する。
そして、沈下中は翼部材４が連続して回転する。
そして、この重り本体２の後端２ａに設けた翼部材４の回転で、翼部材４が受けた水の抵抗を逃がしながら重り本体２の後端２ａ（翼部材４側）に釣り用重り１の沈下を制止する力が働いて、重り本体２の沈下方向を前端２ｂ側を下にした長手方向軸Ｘの方向になって垂直方向になるように規制するため沈下姿勢が崩れず安定し、また、潮流などで重り本体２が傾いてしまった時も、斜めになった重り本体２の姿勢が垂直方向に戻されるようになる。
特に、複数枚の翼４ｃを設けたことで、素早く重り本体２の姿勢が垂直に戻されるようになる。
【００１６】
翼部材４は、回動中心を重り本体２に動かないように支持した支持軸３を中心にして沈下中はぶれないで連続回転するため、沈下中の姿勢の崩れが少なくなって沈下を始めた水面から水底又は一定の水深まで遠回わりせず垂直に近い短い距離のコ−スを取って素早く沈下することとなる。
すなわち、素早く釣り用仕掛け５を水中に沈めて効率良く釣りをすることが可能となる。
また、上記したように、翼部材４の回転で、翼部材４が受ける水の抵抗を逃がしながら重り本体２の傾きが修正されるので、重り本体２は緩やかに姿勢が垂直方向に向くようになる。
このため、水の抵抗の勢いに振られて、姿勢を崩した反対側に再び姿勢を崩してしまうことが防止され、釣り用仕掛け５が絡んでしまうことが防止される。
更に、翼部材４は、重り本体２よりも比重の小さい材料で形成されているため、各翼４ｃは回転し易く、重り本体２の姿勢を素早く修正することが可能となる。
【００１７】
前記のように釣り用重りが構成されると、翼部材４の複数枚の翼４ｃが重り本体２の最大外径より外方に突出しているため、水の抵抗を受け易く、また、長手方向軸Ｘから外側に離れた位置で水の抵抗を受けるため、姿勢を崩したときに修正し易くなる。
また、各翼４ｃの傾斜する抵抗面４ｄは、重り本体２の長手方向軸Ｘに対して傾斜した平面で形成されているため、翼部材４は連続回転がし易くなり、沈下時の水の抵抗を重り本体２の後端２ａ側で強く受けることで沈下姿勢を安定させて沈下するコ−スが短くなって、素早く釣り用仕掛け５を沈下させることができる。
【産業上の利用可能性】
【００１８】
以上、本発明の一実施例の実施形態について説明したが、本発明は、重り本体２に、回転可能となるような翼部材４が装着されて翼４ｃが傾斜した抵抗面を有していれば良く、翼部材４を構成する翼の枚数、大きさ、材質等については、適宜変更することが可能である。
さらに釣り用重り全般に利用できる。
【図面の簡単な説明】
【００１９】
【図１】釣り用重りの側面図である。
【図２】釣り用重りの断面側面図である。
【図３】図１のＦ３−Ｆ３断面線の断面図である。
【図４】釣り用重りを仕掛けに装着した側面図である。
【符号の説明】
【００２０】
１  釣り用重り
２  重り本体
４  翼部材
４ｃ  翼
４ｄ  傾斜した抵抗面
【図１】
2010104317.tif 000003
【図２】
2010104317.tif 000004
【図３】
2010104317.tif 000005
【図４】
2010104317.tif 000006